(57)【要約】【課題】表示板、導光板の大型化を抑制することが可能な計器装置を提供する。【解決手段】表示部６１を有する表示板６と、この表示板６の背後に配置される導光板（板状部材）５と、この導光板５と表示板６とを結束させる柔軟性材料からなる結束部材Ｂとを備えており、導光板５の外周に第１の耳部５３を形成し、表示板６の外周に第１の耳部５３と重ね合わされる第２の耳部６２を形成し、結束部材Ｂが第１，第２の耳部５３，６２に挿入される孔部Ｂ１を有し、第１，第２の耳部５３，６２の周囲を包囲することにより導光板５と表示板６とを結束させる環状部材からなる。【選択図】  図２
2004294346.tif 000002
【特許請求の範囲】
【請求項１】
表示部を有する表示板と、
この表示板の背後に配置される板状部材と、
この板状部材と前記表示板とを結束させる柔軟性材料からなる結束部材とを備え、
前記板状部材の外周に第１の耳部を形成し、
前記表示板の外周に前記第１の耳部と重ね合わされる第２の耳部を形成し、
前記結束部材が前記第１，第２の耳部に挿入される孔部を有し、前記第１，第２の耳部の周囲を包囲することにより前記板状部材と前記表示板とを結束させる環状部材からなることを特徴とする計器装置。
【請求項２】
前記第１の耳部の先端側に断面先細り形状となるテーバ部を設けたことを特徴とする計器装置。
【請求項３】
前記第１の耳部に前記結束部材の抜け方向移動を抑制する規制部を設けたことを特徴とする請求項１記載の計器装置。
【請求項４】
前記結束部材が前記表示板または前記板状部材の少なくとも一方と所定の外装部材との接触箇所に介在することを特徴とする請求項１記載の計器装置。
【発明の詳細な説明】
【０００１】
【発明の属する技術分野】
本発明は、例えば自動車、自動二輪車、小型船舶等の移動体に搭載される計器装置に関し、特に目盛や文字等の各種情報を表示する表示部を備えた表示板を計器装置に組み込む際の仮止め構造に関するものである。
【０００２】
【従来の技術】
従来、この種の計器装置として下記特許文献１記載のものが知られている。当該文献（第７図）には、表示板とこの表示板の背後に重ね合わされる照明用導光板のごとき板状部材との双方の外周部に、解放端部から内部に連なる線状の幅狭部と、この幅狭部の終端側に位置する円弧状の幅広部とを有する鍵穴状の溝部を形成し、この溝部に合成ゴム等の柔軟性材料よりなる棒状の結束部材を嵌着して、表示板と板状部材を仮止め（仮固定）した後、計器ケース等の外装部材に収納するようにしている。この際、結束部材はその中間を径小部とし、両端を径大部として設け、幅狭部を通じて径小部を幅広部内に挿通させると同時に、径大部の各々を文字板、導光板上に位置させ、各径大部間で文字板、導光板双方を板厚方向に圧縮する形で仮止めしている。なお幅狭部はこの場合、結束部材の抜止箇所として機能するようになっている。また結束部材は緩衝部材（振動緩和部材）としても機能し、計器ケースに当接するようになっている。
【０００３】
【特許文献１】
実開昭５８−１３０２１８号公報
【発明が解決しようとする課題】
しかしながら、前記特許文献記載の計器装置では、両端が径大で中央が径小な棒形状の結束部材を表示板及び板状部材に形成した溝部内に嵌入する構成であるため、結束部材を溝内に確実且つ安定的に留めておくには、溝の長さ（深さ）寸法を大きく設定する必要があり、表示板、板状部材サイズの大型化や設計自由度の低下を招くという問題があった。また溝の深さ寸法を小さくするには、結束部材の径小化を図るという手法もあるが、そうすると、結束部材自体の強度低下、接触面積の減少、組付け作業性の悪化を招くという問題があった。
【０００４】
そこで本発明は、表示板と板状部材を結束部材を通じて仮止めするにあたり、表示板や板状部材の大型化を抑制し得る計器装置を提供するものである。
【０００５】
【課題を解決するための手段】
本発明は前記目的を達成するため、表示部を有する表示板と、この表示板の背後に配置される板状部材と、この板状部材と前記表示板とを結束させる柔軟性材料からなる結束部材とを備え、前記板状部材の外周に第１の耳部を形成し、前記表示板の外周に前記第１の耳部と重ね合わされる第２の耳部を形成し、前記結束部材が前記第１，第２の耳部に挿入される孔部を有し、前記第１，第２の耳部の周囲を包囲することにより前記板状部材と前記表示板とを結束させる環状部材からなることを特徴とする。
【０００６】
また本発明は、前記第１の耳部の先端側に断面先細り形状となるテーバ部を設けたことを特徴とする。
【０００７】
また本発明は、前記第１の耳部に前記結束部材の抜け方向移動を抑制する規制部を設けたことを特徴とする。
【０００８】
また本発明は、前記結束部材が前記表示板または前記板状部材の少なくとも一方と所定の外装部材との接触箇所に介在することを特徴とする。
【０００９】
【発明の実施の形態】
図１〜図４は、本発明の実施形態を示し、図１は本発明による計器装置の正面図、図２は図１のＡ−Ａ断面図、図３は図２中、矢印Ｐ領域を拡大して示す要部拡大断面図、図４は当該実施形態の要部分解斜視図である。
【００１０】
図１において指針式計器は、駆動軸１を前方に突設してなる駆動装置２と、この駆動装置２の背後側に位置する回路基板３と、この回路基板３の前方側に配置されるケース体（外装部材）４と、このケース体４の前方側に配置される導光板（板状部材）５と、この板状部材５上に配置される表示板６と、後述する組付け時に表示板６と導光板５とを仮止めする結束部材Ｂと、表示板６上に位置し駆動装置２の駆動軸１によって軸回り作動する指針７と、この指針７及び表示板６上を覆う透視カバー（外装部材）８とを備える。また回路基板３の背面側は、裏カバー９により覆われ、各駆動装置２間には例えば液晶パネル１０からなる表示器が配置されている。
【００１１】
駆動装置２は、ステッピングモータ式ゲージやエアコア式ゲージ等の周知のコイル型電動機からなり、本実施形態では、液晶パネル１０を挟んで２個離間配置され、後述するスピードメータとタコメータの駆動部を構成するものである。
【００１２】
回路基板３は、周知の硬質プリント回路基板からなり、駆動装置２の他、光源Ｌと図示しない回路部品が搭載されている。この場合、光源Ｌは前記スピードメータ、タコメータ、液晶パネル１０を背後から照明する、例えばフィラメント（白熱）バルブ、発光ダイオードからなるものである。
【００１３】
ケース体４は、例えば光反射率の高い白色の合成樹脂によって、回路基板３の外径サイズ相当の大きさで、なおかつ回路基板３側及び表示板６側に複数の開口部を備えるフレーム形状に形成されている。ケース体４には、各駆動装置２を取り巻く筒状の第１の隔壁４１と、この隔壁４１の外側を取り巻いて（隔壁４１との間で）光源Ｌを収容する表示板照明室を形成する円筒状の第２の隔壁４２とを有し、図２中、液晶パネル１０に隣接する隔壁４２は、液晶パネル１０の照明室を構成し、その内部に光源Ｌが収容されている。また、図２中、外側に位置する隔壁４２には、図３に示すように、結束部材Ｂを介して導光板５と接し、これを背後側から支持する突起形状の第１の支持部４３が形成されている。
【００１４】
導光板５は、例えばアクリル樹脂、ポリカーボネート等の透光性合成樹脂からなり、各駆動装置２単位（前記スピードメータ、タコメータ単位）で２つに分割形成されている。
【００１５】
この導光板５には、それぞれ光源Ｌからの光を受光する受光部５１と、表示板６に沿って延びる基板部５２とを有しており、基板部５２の指針７に対応する箇所には、受光部５１から取り入れた光を指針７側に反射する反射部が形成され、またその外周には、後述する結束部材に対応して部分形成された第１の耳部５３とを有している。
【００１６】
この第１の耳部５３は、導光板５の外周部を所定間隔を置いて切り欠き形状に設定することにより、凸片状に部分形成されている。そしてこの第１の耳部５３の内方適宜箇所には、結束部材Ｂの脱落（抜け）を防止する抜止部（規制部）５４が形成され、この抜止部５４から先端に向かって断面先細り形成となるテーパ部５５が形成されている。なお本例の場合、抜止部５４は、結束部材Ｂに対応した凹部を導光板５に設定することにより、背面側に突出するように形成されている。
【００１７】
表示板６は、周知の印刷表示板からなり、指針６に対応する目盛、文字、マーク等の表示部６１を有している。この表示部６１は、導光板５の基板部５２を通じて導かれた光によって透過照明可能な前記スピードメータ用の表示部６１ａとタコメータ用の表示部６１ｂとに大別され、各指針７に対応して円弧状に配列されるものである。
【００１８】
表示板６にはまた、駆動軸１と指針７との連結を可能とする貫通孔が形成される他、その外周部には導光板５の第１の耳部５３に対応し、これと組付け状態において重ね合わされる第２の耳部６２を有している。この第２の耳部６２も第１の耳部５３と同様、表示板６の外周部を所定間隔を置いて切り欠き形状に設定することにより、凸片状に部分形成されている。なお第１，第２の耳部５３，６２は、互いにその位置が等しくなるよう導光板５及び表示板６の外周部適宜箇所に複数個形成されている。
【００１９】
また本例の場合、導光板５は、前述の通り、２分割としたが、表示板６は、略ケース体４の大きさに相当する一枚のシート状に形成され、液晶パネル１０に対応する箇所には、液晶パネル１０を視認可能とする窓部Ｗが形成されている。
【００２０】
そして、このように導光板５、表示板６双方に形成される各耳部５３，６２は、組付け時に結束部材Ｂを通じて結束され仮止めが行われる。
【００２１】
結束部材Ｂは、図４に示すように、中央に孔部Ｂ１を有する環状部材からなり、導光板５及び表示板６の例えば合成ゴム系の柔軟性（伸縮性）材料を用いて形成され、導光板５、表示板６の外周側（板厚方向とは直交する方向）より、孔部Ｂ１を通じて各耳部５３，６２に挿入され、抜止部５４を超えた箇所に位置して各耳部５３，６２の周囲を完全に包囲し、導光板５と表示板６を仮止めするものである。
【００２２】
孔部Ｂ１の内径は、第１の耳部５３中、抜止部５４よりも内側部分と、第２の耳部６２とを合わせた外周径よりも小さく形成され、挿入時には、第１の耳部５３のテーパ部５５を通過する過程で環状部Ｂ２が広がりながら奥行き方向に進み、抜止部５４を超えた箇所に留まるようになっている。このとき、結束部材Ｂの四角形となる環状部Ｂ１には収縮力が働くと共に抜止部５４によって位置規制され、その脱落が抑制される。なお孔部Ｂ１の長手方向寸法は、各耳部５３，６２の幅寸法と略同じに設定され、また孔部Ｂ１の長手方向とは直交する方向の寸法は、第１の耳部５３の抜止部５４よりも内側部分と、第２の耳部６２とを合わせた厚み寸法よりも小さく形成されている。
【００２３】
指針７は、例えばアクリル樹脂、ポリカーボネート等の透光性合成樹脂からなる指示部と、この指示部の所要部を多く遮光性カバーからなり、駆動軸１に連結され、計測量に応じて軸回り回転すると共に、導光板５の前記反射部を通じて導かれた光によって指示部が発光するようになっている。
【００２４】
そして本例では、図２中、左側の指針７及び駆動装置２と、表示板６の表示部６１ａとでスピードメータが構成され、また図２中、右側の指針７及び駆動装置２と、表示板６のの表示部６１ｂとでタコメータが構成される。
【００２５】
透視カバー８は、前記のように指針７及び表示板６を覆うものであるが、ケース体４の第２の隔壁４２（図２中、外側に位置）に対応する突出部８１を有し、この突出部８１には結束部材Ｂを介して表示板６に接し、これを前方側から支持する突起形状の第２の支持部８２が形成されている。
【００２６】
次に本例における計器装置の組み付け例を説明する。
まず、ケース体４及び液晶パネル１０を組み付けた回路基板３を裏カバー１０上にセットし、図示しない固定手段を通じて固定する。
【００２７】
次に結束部材Ｂを通じて仮止めした表示板６及び導光板７に、駆動装置２と指針７を装着してメータアッセンブリを構成させ、このメータアッセンブリをケース体４の前方側からセットし、適宜固定手段により固定しする。これにより、駆動装置２が第１の隔壁４１内に位置して図示しない電気接続手段により通電接続されると共に、導光板５の受光部５１が光源Ｌに対向し、さらにケース体４の第１の支持部４３上に導光板５及び表示板６の結束部分、すなわち、結束部材Ｂ箇所が載置される。
【００２８】
ここで表示板６と導光板７との一体化は、導光板５の第１の耳部５３と、表示板６の第２の耳部６２とを位置合わせし、表示板６と導光板７の外周方向より、これら結束部材Ｂを通じて行われる。、この際、導光板５の耳部５３と、表示板６
【００２９】
最後に表示板６の前方より透視カバー８をセットし、適宜固定手段によりケース体４に固定して組付けが完了する。
【００３０】
このとき、透視カバー８の第２の支持部８２が導光板５及び表示板６の結束部分である結束部材Ｂ箇所に対向し、第１，第２の支持部４３，８２間に結束部材Ｂを介して導光板５及び表示板６をサンドイッチする形で、ケース体４と透視カバー８間に導光板５及び表示板６が支持され、このように結束部材Ｂを介したサンドイッチ構成を採用することにより、板体からなる表示板６と導光板５に振動が伝わりにくくしている。
【００３１】
以上のように、本実施形態によれば、表示部６１を有する表示板６と、この表示板６の背後に配置される導光板（板状部材）５と、この導光板５と表示板６とを結束させる柔軟性材料からなる結束部材Ｂとを備えており、導光板５の外周に第１の耳部５３を形成し、表示板６の外周に第１の耳部５３と重ね合わされる第２の耳部６２を形成し、結束部材Ｂが第１，第２の耳部５３，６２に挿入される孔部Ｂ１を有し、第１，第２の耳部５３，６２の周囲を包囲することにより導光板５と表示板６とを結束させる環状部材からなることにより、表示板６と導光板５を結束部材Ｂを通じて仮止めするにあたり必要となる、表示板６、導光板５の余剰エリアを減少させることができ、表示板、導光板の大型化を抑制することができる。
【００３２】
なお本実施形態では、結束部材Ｂの環状部Ｂ２を四角に設定したが、環状であれば楕円形等の適宜形状を用いることができる。
【００３３】
また本実施形態では、第１の耳部５３の先端側に断面先細り形状となるテーバ部５４を設けたことにより、結束部材Ｂの挿入作業性を向上させることができる。
【００３４】
なお結束部材Ｂの挿入作業性を向上させるにあたっては、耳部５３，６２の板厚方向ではなく、その幅方向において先細りに設定してもよいが、表示板６に対する加工を考慮すると、第１の耳部５３にテーバ部５５を設ける方が成形のみで対応できるので、有利である。
【００３５】
また本実施形態では、第１の耳部５３に結束部材Ｂの抜け方向移動を抑制する抜止部（規制部）５４を設けたことにより、結束部材Ｂの挿入後にこれを所定位置に確実に留めておくことができ、仮止め安定性を確保することができる。
【００３６】
なお本実施形態では、抜止部５４を導光板５側であって、背面側（肉厚方向）に突出するように形成したが、同じく導光板であって第１の耳部５３の幅方向に突出させてもよい。また抜止部５４は表示板６側に設けることもできるが、加工性を考慮すると、導光板５側に設けるのが有利である。
【００３７】
また本実施形態では結束部材Ｂをケース体４及び透視カバー８からなる外装部材との接触箇所に配置したことにより、結束部材Ｂに結束機能と防振機能を持たせることができる。
【００３８】
なおこのように結束部材Ｂに防振機能を持たせる場合、結束部材Ｂは、少なくとも一つの外装部材に対向していればよい。
【００３９】
【発明の効果】
以上、本発明により、初期の目的を達成することができ、表示板、導光板の大型化を抑制することが可能な計器装置を提供することができる。
【図面の簡単な説明】
【図１】本発明の実施形態による計器装置の正面図。
【図２】図１のＡ−Ａ断面図。
【図３】図２中、矢印Ｐ領域を拡大して示す要部拡大断面図。
【図４】当該実施形態の要部分解斜視図。
【符号の説明】
１  駆動軸
２  駆動装置
３  回路基板
４  ケース体（外装部材）
５  導光板（板状部材）
６  表示板
７  指針
８  透視カバー（外装部材）
９  裏カバー
１０  液晶パネル
４１  第１の隔壁
４２  第２の隔壁
４３  第１の支持部
５１  受光部
５２  基板部
５３  第１の耳部
５４  抜止部（規制部）
５５  テーパ部
６１，６１ａ，６１ｂ  表示部
６２  第２の耳部
８１  突出部
８２  第２の支持部
Ｂ  結束部材
Ｂ１  孔部
Ｂ２環状部
Ｌ  光源
Ｗ  窓部
【図１】
2004294346.tif 000003
【図２】
2004294346.tif 000004
【図３】
2004294346.tif 000005
【図４】
2004294346.tif 000006